(57)【要約】【課題】マルチビューディスプレイを行うと同時に、リモコン制御権を選択的に切り替えることができるディスプレイ装置およびそのマルチビューディスプレイ方法を提供する。【解決手段】ディスプレイ装置は、複数のコンテンツのビデオデータを処理するビデオ処理部と、処理されたビデオデータを用いて、複数のコンテンツビューをディスプレイするディスプレイ部と、ディスプレイ装置にペアリングされた外部装置と通信を行うための通信部と、外部装置からリモコン制御権切り替え命令が受信されると、複数のコンテンツビューのうち、リモコン制御権切り替え命令に対応するコンテンツビューに対してリモコン制御権を与える制御部とを含む。制御部は、リモコン信号が受信されると、リモコン制御権が与えられたコンテンツビューに対してリモコン信号に対応する制御動作を行う。それにより、マルチビュー機能をより簡単に使用することができる。【選択図】図１
2014107870.tif 000002
【特許請求の範囲】
【請求項１】
ディスプレイ装置において、
複数のコンテンツのビデオデータを処理するビデオ処理部と、
前記ビデオ処理部で処理されたビデオデータを用いて、複数のコンテンツビューをディスプレイするディスプレイ部と、
前記ディスプレイ装置にペアリングされた外部装置と通信を行うための通信部と、
前記外部装置からリモコン制御権切り替え命令が受信されると、前記複数のコンテンツビューのうち、前記リモコン制御権切り替え命令に対応するコンテンツビューに対してリモコン制御権を与える制御部と
を含むディスプレイ装置。
【請求項２】
前記複数のコンテンツビューに対応する同期化信号を生成する同期化信号生成部を更に含み、
前記通信部は、
前記外部装置から前記リモコン制御権切り替え命令を受信する第１通信部と、
前記同期化信号を前記外部装置に伝送する第２通信部と
を含み、
前記外部装置は、個別に駆動される左眼および右眼シャッタグラスを備えたシャッタグラス方式のメガネ装置であることを特徴とする請求項１に記載のディスプレイ装置。
【請求項３】
前記外部装置は、偏光グラスを備えた偏光方式のメガネ装置であることを特徴とする請求項１に記載のディスプレイ装置。
【請求項４】
前記リモコン制御権切り替え命令に従って、前記リモコン制御権を有するコンテンツビューが変更されると、前記リモコン制御権が新たに与えられるコンテンツビューに通知メッセージを表示するＯＳＤ処理部を更に含むことを特徴とする請求項２に記載のディスプレイ装置。
【請求項５】
前記制御部は、予め設定された数のメガネ装置がペアリングされた状態で、追加的に新規メガネ装置から接続要求が受信されると、前記接続要求を伝送した新規メガネ装置に対して接続拒否信号を伝送することを特徴とする請求項２に記載のディスプレイ装置。
【請求項６】
前記制御部は、接続拒否メッセージを前記ディスプレイ部を介してディスプレイすることを特徴とする請求項５に記載のディスプレイ装置。
【請求項７】
メニュー表示命令が入力されると、複数のＯＳＤメニューを生成するＯＳＤ処理部を更に含み、
前記ディスプレイ部は、前記複数のコンテンツビューのうち少なくとも１つに前記複数のＯＳＤメニューをディスプレイし、
前記制御部は、前記外部装置とのペアリング状態または前記複数のコンテンツビューのソース種類に応じて、前記複数のＯＳＤメニューのうち少なくとも１つを選択的にディミングさせるように前記ＯＳＤ処理部を制御することを特徴とする請求項２に記載のディスプレイ装置。
【請求項８】
前記複数のコンテンツに含まれたオーディオデータを、それぞれ処理するオーディオ処理部と、
前記オーディオ処理部で処理された各オーディオデータをパケット化するパケット化部と
を更に含み、
前記第１通信部は、前記パケット化部でパケット化された複数のオーディオデータパケットを前記メガネ装置に伝送することを特徴とする請求項２に記載のディスプレイ装置。
【請求項９】
ディスプレイ装置のマルチビューディスプレイ方法において、
複数のコンテンツのビデオデータを処理するステップと、
処理されたビデオデータを用いて、複数のコンテンツビューをディスプレイするステップと、
前記ディスプレイ装置にペアリングされた外部装置からリモコン制御権切り替え命令が入力されると、前記複数のコンテンツビューのうち、前記リモコン制御権切り替え命令に対応するコンテンツビューに対してリモコン制御権を与えるステップと
を含むマルチビューディスプレイ方法。
【請求項１０】
前記複数のコンテンツビューに対応する同期化信号を生成するステップと、
前記同期化信号を前記外部装置に伝送するステップと
を更に含み、
前記外部装置は、個別に駆動される左眼および右眼シャッタグラスを備えたシャッタグラス方式のメガネ装置であることを特徴とする請求項９に記載のマルチビューディスプレイ方法。
【請求項１１】
前記外部装置は、偏光グラスを備えた偏光方式のメガネ装置であることを特徴とする請求項９に記載のマルチビューディスプレイ方法。
【請求項１２】
前記リモコン制御権切り替え命令に従って、前記リモコン制御権を有するコンテンツビューが変更されると、前記リモコン制御権が新たに与えられるコンテンツビューに通知メッセージを表示するステップを更に含むことを特徴とする請求項１０に記載のマルチビューディスプレイ方法。
【請求項１３】
予め設定された数のメガネ装置が前記ディスプレイ装置にペアリングされた状態で、追加的に新規メガネ装置から接続要求が受信されると、接続拒否信号を前記新規メガネ装置に伝送するステップを更に含むことを特徴とする請求項１０に記載のマルチビューディスプレイ方法。
【請求項１４】
メニュー表示命令が入力されると、複数のＯＳＤメニューを生成するステップと、
前記複数のコンテンツビューのうち少なくとも１つに前記複数のＯＳＤメニューをディスプレイするステップと
を更に含み、
前記複数のＯＳＤメニューのうち少なくとも１つは、前記外部装置とのペアリング状態または前記複数のコンテンツビューのソース種類に応じて、選択的にディミング処理されることを特徴とする請求項１０に記載のマルチビューディスプレイ方法。
【請求項１５】
前記複数のコンテンツに含まれたオーディオデータを、それぞれ処理するステップと、
処理された各オーディオデータをパケット化するステップと、
パケット化された複数のオーディオデータパケットを前記メガネ装置に伝送するステップと
を更に含むことを特徴とする請求項１０に記載のマルチビューディスプレイ方法。
【発明の詳細な説明】
【技術分野】
【０００１】
本発明は、ディスプレイ装置およびそのマルチビューディスプレイ方法に関し、より詳細には、マルチビューディスプレイを行うと同時に、リモコン制御権を選択的に切り替えることができるディスプレイ装置およびそのマルチビューディスプレイ方法に関する。
【背景技術】
【０００２】
電子技術の発達により、多様な類型の電子製品が開発され普及している。特に、テレビ、携帯電話、パソコン、ノートパソコン、ＰＤＡ等のような各種ディスプレイ装置は多くの一般家庭でも使用されている。
ディスプレイ装置の使用が増えるにつれ、より多様な機能へのユーザのニーズ（ｎｅｅｄｓ）も増大してきた。よって、ユーザからのニーズに応えるべく、各製造会社の取り組みも加速化し、従来にはない新たな機能を備えた製品が続々登場している。
【０００３】
そのうちの１つとして、３Ｄディスプレイ装置を例として挙げることができる。３Ｄディスプレイ装置は、メガネをかけずに視聴可能な形態で実現されてよいが、立体感を考慮し、メガネ装置と連動する形態で実現されるケースが多い。３Ｄ機能を実現するために、ディスプレイ装置またはメガネ装置は、既存のディスプレイ装置に比べてより多様なハードウェアを備えなければならない。
このように、ディスプレイ装置がメガネ装置と連動できる形態で実現されることで、このような構成を用いてより多様なサービスを提供することができる技術を必要とする声が上がっている。
【先行技術文献】
【特許文献】
【０００４】
【特許文献１】米国特許出願公開第２０１１／０１５９９２９号公報
【特許文献２】特開第２００８−０６５２３６号公報
【特許文献３】米国特許出願公開第２０１２／００９２４６９号公報
【特許文献４】韓国特許出願公開第２００７−００８７４４４号公報
【発明の概要】
【発明が解決しようとする課題】
【０００５】
そこで、本発明は、上記問題に鑑みてなされたものであり、本発明の目的とするところは、マルチビューディスプレイを行うと同時に、ユーザの選択に応じてリモコン制御権を切り替えることができるディスプレイ装置およびそのマルチビューディスプレイ方法を提供することにある。
【課題を解決するための手段】
【０００６】
前記目的を達成するための本発明の一実施態様に係るディスプレイ装置は、複数のコンテンツのビデオデータを処理するビデオ処理部と、前記ビデオ処理部で処理されたビデオデータを用いて、複数のコンテンツビューをディスプレイするディスプレイ部と、前記ディスプレイ装置にペアリングされた外部装置と通信を行うための通信部と、前記外部装置からリモコン制御権切り替え命令が受信されると、前記複数のコンテンツビューのうち、前記リモコン制御権切り替え命令に対応するコンテンツビューに対してリモコン制御権を与える制御部とを含む。
【０００７】
ここで、前記複数のコンテンツビューに対応する同期化信号を生成する同期化信号生成部を更に含んでよい。ここで、前記通信部は、前記外部装置から前記リモコン制御権切り替え命令を受信する第１通信部と、前記同期化信号を前記外部装置に伝送する第２通信部とを含んでよい。ここで、前記外部装置は、個別に駆動される左眼および右眼シャッタグラスを備えたシャッタグラス方式のメガネ装置であってよい。
または、前記外部装置は、偏光グラスを備えた偏光方式のメガネ装置であってよい。
【０００８】
または、ディスプレイ装置は、前記リモコン制御権切り替え命令に従って、前記リモコン制御権を有するコンテンツビューが変更されると、前記リモコン制御権が新たに与えられるコンテンツビューに通知メッセージを表示するＯＳＤ処理部を更に含んでよい。
ここで、前記制御部は、予め設定された数のメガネ装置がペアリングされた状態で、追加的に新規メガネ装置から接続要求が受信されると、前記接続要求を伝送した新規メガネ装置に対して接続拒否信号を伝送してよい。
そして、前記制御部は、接続拒否メッセージを前記ディスプレイ部を介してディスプレイしてよい。
【０００９】
なお、ディスプレイ装置は、メニュー表示命令が入力されると、複数のＯＳＤメニューを生成するＯＳＤ処理部を更に含んでよい。
そして、前記ディスプレイ部は、前記複数のコンテンツビューのうち少なくとも１つに前記複数のＯＳＤメニューをディスプレイしてよい。
ここで、前記制御部は、前記外部装置とのペアリング状態または前記複数のコンテンツビューのソース種類に応じて、前記複数のＯＳＤメニューのうち少なくとも１つを選択的にディミング（ｄｉｍｍｉｎｇ）させるように前記ＯＳＤ処理部を制御してよい。
そして、前記複数のコンテンツに含まれたオーディオデータを、それぞれ処理するオーディオ処理部と、前記オーディオ処理部で処理された各オーディオデータをパケット化するパケット化部とを更に含んでよい。ここで、前記第１通信部は、前記パケット化部でパケット化された複数のオーディオデータパケットを前記メガネ装置に伝送してよい。
【００１０】
一方、本発明の一実施態様に係るディスプレイ装置のマルチビューディスプレイ方法は、複数のコンテンツのビデオデータを処理するステップと、処理されたビデオデータを用いて、複数のコンテンツビューをディスプレイするステップと、前記ディスプレイ装置にペアリングされた外部装置からリモコン制御権切り替え命令が入力されると、前記複数のコンテンツビューのうち、前記リモコン制御権切り替え命令に対応するコンテンツビューに対してリモコン制御権を与えるステップとを含む。
【００１１】
なお、前記複数のコンテンツビューに対応する同期化信号を生成するステップと、前記同期化信号を前記外部装置に伝送するステップとを更に含んでよい。この場合、前記外部装置は、個別に駆動される左眼および右眼シャッタグラスを備えたシャッタグラス方式のメガネ装置であってよい。
または、前記外部装置は、偏光グラスを備えた偏光方式のメガネ装置であってよい。
【００１２】
そして、前記リモコン制御権切り替え命令に従って、前記リモコン制御権を有するコンテンツビューが変更されると、前記リモコン制御権が新たに与えられるコンテンツビューに通知メッセージを表示するステップを更に含んでよい。
または、予め設定された数のメガネ装置が前記ディスプレイ装置にペアリングされた状態で、追加的に新規メガネ装置から接続要求が受信されると、接続拒否信号を前記新規メガネ装置に伝送するステップを更に含んでよい。
そして、接続拒否メッセージをディスプレイするステップを更に含んでよい。
【００１３】
または、メニュー表示命令が入力されると、複数のＯＳＤメニューを生成するステップと、前記複数のコンテンツビューのうち少なくとも１つに前記複数のＯＳＤメニューをディスプレイするステップとを更に含んでよく、前記複数のＯＳＤメニューのうち少なくとも１つは、前記外部装置とのペアリング状態または前記複数のコンテンツビューのソース種類に応じて、選択的にディミング（ｄｉｍｍｉｎｇ）処理されてよい。
または、前記複数のコンテンツに含まれたオーディオデータを、それぞれ処理するステップと、処理された各オーディオデータをパケット化するステップと、パケット化された複数のオーディオデータパケットを前記メガネ装置に伝送するステップとを更に含んでよい。
【００１４】
一方、本発明の一実施態様によると、複数のコンテンツビューをディスプレイするディスプレイ装置と連動するためのメガネ装置は、前記ディスプレイ装置と通信を行うための通信部と、リモコン制御権切り替え命令がマッピングされたキーおよび前記キーが選択されると、前記複数のコンテンツビューのうち、前記メガネ装置が同期化されたコンテンツビューにリモコン制御権を切り替えるためのリモコン制御権切り替え命令を前記ディスプレイ装置に伝送するように前記通信部を制御する制御部とを含む。
【００１５】
なお、メガネ装置は、第１および第２シャッタグラス部と、前記第１および第２シャッタグラス部を、それぞれ駆動させるためのシャッタグラス駆動部と、オーディオ信号処理のためのオーディオ処理部と、前記オーディオ処理部で処理したオーディオ信号を出力するオーディオ出力部とを更に含んでよい。
そして、前記通信部は、前記ディスプレイ装置から前記複数のコンテンツビューに対する同期化信号を受信して前記シャッタグラス駆動部に提供する第１通信部と、前記ディスプレイ装置から前記オーディオ信号を受信して前記オーディオ処理部に提供する第２通信部とを含んでよい。
【発明の効果】
【００１６】
以上説明したように、本発明によれば、ディスプレイ装置は、複数のコンテンツビューを提供すると同時に、リモコンで制御される対象をユーザ選択に応じて、簡単に切り替えることができるようにする。また、メガネ装置とディスプレイ装置との接続状態に応じて多様な情報を提供することができる。それにより、ユーザが簡単に使用できるマルチビューディスプレイ機能を提供することができる。
【図面の簡単な説明】
【００１７】
【図１】本発明の一実施形態に係るディスプレイ装置の構成を示すブロック図である。
【図２】アクティブタイプのディスプレイ装置で複数の２Ｄコンテンツを用いてマルチビューディスプレイを行う場合を示す図である。
【図３】アクティブタイプのディスプレイ装置で複数の３Ｄコンテンツを用いてマルチビューディスプレイを行う場合を示す図である。
【図４】パッシブタイプのディスプレイ装置でマルチビューディスプレイを行う場合を示す図である。
【図５】メガネ装置から伝送されるリモコン制御権切り替え命令に応じて、リモコン制御権が切り替えられる方法を示す図である。
【図６】メガネ装置から伝送されるリモコン制御権切り替え命令に応じて、リモコン制御権が切り替えられる方法を示す図である。
【図７】アクティブタイプのディスプレイ装置の細部構成を説明するためのブロック図である。
【図８】アクティブタイプのメガネ装置の構成を示すブロック図である。
【図９】オーディオデータパケットを伝送する構成を示す図である。
【図１０】オーディオデータパケットを伝送する構成を示す図である。
【図１１】図８のメガネ装置で同期化されたコンテンツビューに対応するオーディオデータパケットを受信する方法を説明するための図である。
【図１２】リモコン制御権を切り替えるためのディスプレイ装置およびメガネ装置の間の動作を説明するためのタイミング図である。
【図１３】ディスプレイ装置およびメガネ装置の間のペアリング動作を説明するためのタイミング図である。
【図１４】メガネ装置の接続状態を示すディスプレイ装置の動作を説明するための図である。
【図１５】メガネ装置の接続状態を示すディスプレイ装置の動作を説明するための図である。
【図１６】メガネ装置の接続状態に応じて選択的に非活性化されるメニューを表示するディスプレイ装置の動作を説明するための図である。
【図１７】本発明の一実施形態に係るディスプレイ装置のマルチビューディスプレイ方法を説明するためのフローチャートである。
【図１８】本発明の一実施形態に係るメガネ装置のリモコン制御権切り替え方法を説明するためのフローチャートである。
【図１９】リモコン制御権切り替え命令を入力するためのキーを含むメガネ装置の外観構成例を示す図である。
【発明を実施するための形態】
【００１８】
以下、添付の図面を参照しながら、本発明の好適な実施形態について詳細に説明する。
図１は、本発明の一実施形態に係るディスプレイ装置の構成を示すブロック図である。図１によると、ディスプレイ装置１００は、ビデオ処理部１１０と、ディスプレイ部１２０と、制御部１３０と、通信部１４０とを含む。ディスプレイ装置１００は、テレビ、携帯電話、ＰＤＡ、ノートパソコン、モニタ、タブレットパソコン、電子書籍、デジタルフォトフレーム、キヨスク端末等のように、ディスプレイユニットを備えた多様な装置で実現されてよい。
【００１９】
ディスプレイ装置１００は、マルチビューモードを提供する。マルチビューモードとは、複数の異なるコンテンツを１つのディスプレイ装置１００を用いてディスプレイするモードを意味する。２つのコンテンツをディスプレイする場合にはデュアルビューモード、３つのコンテンツをディスプレイする場合にはトリプルビューモード、４つのコンテンツをディスプレイする場合にはクワドルプルビューモード等と称してよいが、本明細書ではマルチビューモードまたは機能として通称して説明を進める。ディスプレイ装置１００は、１つのコンテンツをディスプレイする通常モードとマルチビューモードとのいずれか一方で選択的に動作することができる。または、実施形態に応じては、３Ｄディスプレイを行う３Ｄモード、インターネットに接続されるインターネットモード等に切り替えられてよい。本発明は、マルチビューモードの実行に関連するため、以下では、マルチビューモードで動作する場合を基準として説明を進める。
【００２０】
マルチビューモードが行われると、ディスプレイ装置１００内のビデオ処理部１１０は、複数のコンテンツのビデオデータをそれぞれ処理する。コンテンツは、放送チャネルを通じて受信される放送番組データであってよく、ディスプレイ装置１００に内蔵型または外付け型の保存素子（図示せず）に保存されたデータファイルであってよく、ディスプレイ装置１００に接続された記録媒体再生装置から再生されるメディアコンテンツであってよい。または、ウェブブラウザの実行によって生成されるウェブページ画面であってよく、各種応答プログラムの実行によって生成されるアプリケーション実行画面であってよい。
【００２１】
ディスプレイ部１２０は、ビデオ処理部１１０で処理されたビデオデータを用いて、複数のコンテンツビューをディスプレイする。ディスプレイ部１２０は、ディスプレイパネル（図示せず）およびバックライトユニット（図示せず）を含むＬＣＤディスプレイで実現されてよいが、その他に、ＯＬＥＤタイプや、ＰＤＰタイプおよびその他の多様な形態のディスプレイで実現されてよい。コンテンツビューを構成してディスプレイする方法は、ディスプレイ装置のタイプに応じて異なってよい。それについては、以降で詳細に説明する。
【００２２】
通信部１４０は、外部装置との通信を行い、多様なコマンドやデータ等を送受信するための構成要素である。外部装置には、リモコン、メガネ装置、その他の多様なユーザ端末装置が含まれてよい。
具体的には、通信部１４０は、ディスプレイ装置１００にペアリングされた外部装置からリモコン制御権切り替え命令を伝送されてよく、同期化信号をメガネ装置に伝送することもでき、オーディオ信号やその他のコマンド等を送受信することもできる。通信部１４０は、ブルートゥース（登録商標）、Ｗｉ−Ｆｉ、Ｚｉｇｂｅｅ（登録商標）、ＩＥＥＥ、ＲＦ無線通信等のような多様な通信方式によって、外部装置と通信を行うことができる。なお、通信部１４０の数は、１つに限定されず、複数個で実現されてよい。一例として、通信部１４０は、外部装置からリモコン制御権切り替え命令を受信する第１通信部と、同期化信号を外部装置に伝送する第２通信部とを含む形態で実現されてよい。この場合、第１および第２通信部の通信方式は、互いに異なるように実現されてよく、同様の方式で実現されてもよい。このような実施形態については詳細に後述するとし、本実施形態においては、メガネ装置２００で入力されたリモコン制御権切り替え命令が通信部１４０を介して入力される場合を基準として説明を進める。
【００２３】
制御部１３０は、リモコン制御権切り替え命令が入力されると、複数のコンテンツビューのうち、リモコン制御権切り替え命令に対応するコンテンツビューに対してリモコン制御権を与える。リモコン制御権とは、リモコンを用いて制御することができる権限を意味する。例えば、第１コンテンツビューにリモコン制御権が与えられていた状態で、第２コンテンツビューに同期化したメガネ装置からリモコン制御権切り替え命令が入力されると、制御部１３０は、第２コンテンツビューにリモコン制御権を与える。
【００２４】
制御部１３０は、リモコンからリモコン信号が受信されると、リモコン制御権が与えられたコンテンツビューに対してリモコン信号に対応する処理動作を行う。例えば、放送番組信号をディスプレイしているコンテンツビューにリモコン制御権が与えられた場合、チャネルアップ信号やチャネルダウン信号が受信されると、制御部１３０は、当該コンテンツビューにディスプレイされるテレビチャネルをアップまたはダウンさせる。または、音量アップ信号や音量ダウン信号が受信されると、リモコン制御権が与えられたコンテンツビューに対応する音声出力レベルの大きさをアップまたはダウンさせる。その他に、カラー、コントラスト、彩度、立体感等のような多様な属性を調整するためのリモコン信号が受信される場合には、制御部１３０は、そのリモコン信号に応じて当該コンテンツビューのビデオフレームのカラー、コントラスト、彩度、立体感等のような属性を調整する。
【００２５】
ディスプレイ装置１００は、アクティブタイプまたはパッシブタイプで実現されてよい。図２および図３は、アクティブタイプのディスプレイ装置およびメガネ装置の動作を説明するための図である。
まず、図２は、アクティブタイプのディスプレイ装置で２つの２Ｄコンテンツ（Ａ、Ｂ）を用いてマルチビューディスプレイを行う場合を説明する。説明の便宜のために、コンテンツＡ、Ｂに対応するコンテンツビューをそれぞれＡ、Ｂと示している。ここで、コンテンツＡ、Ｂは、放送チャネルを通じて受信される放送番組、ネットワークソースから提供されるマルチメディアコンテンツ、ディスプレイ装置１００の内部または外部に設けられた保存素子に保存されたマルチメディアコンテンツ等のように、多様な類型のコンテンツであってよい。なお、コンテンツＡ、Ｂは、動画コンテンツだけでなく、静止映像、テキスト等のようにオーディオが排除されたコンテンツであってよい。
【００２６】
ビデオ処理部１１０は、コンテンツＡ、Ｂをそれぞれデマルチプレキシング（ｄｅｍｕｌｔｉｐｌｅｘｉｎｇ）してビデオデータを検出した後、検出されたビデオデータに対してデコード、スケーリング等を行い、コンテンツＡ、Ｂのそれぞれのビデオフレームを生成する。ディスプレイ部１２０は、生成されたビデオフレームを少なくとも１つずつ交互にディスプレイする。ディスプレイ装置１００は、各ビデオフレームのディスプレイタイミングに合わせて、メガネ装置が同期化できるように同期化信号を生成してメガネ装置に伝送する。
【００２７】
メガネ装置２００−１、２００−２は、シャッタグラス方式のメガネ装置である。シャッタグラス方式とは、左眼グラスに設けられた液晶シャッタおよび右眼グラスに設けられた液晶シャッタを個別にターンオンまたはターンオフさせ、偏光方向を個別に調整する方式である。すなわち、コンテンツＡにマッチングする第１メガネ装置２００−１は、コンテンツビューＡが出力されるタイミングに合わせて左眼グラスおよび右眼グラスを両方ターンオンさせ、コンテンツビューＢが出力されるタイミングに合わせて左眼グラスおよび右眼グラスを両方ターンオフさせる。それにより、第１メガネ装置２００−１を着用したユーザは、コンテンツビューＡのみを認識することができる。
一方、コンテンツＢにマッチングする第２メガネ装置２００−２は、コンテンツビューＢが出力されるタイミングに合わせて各グラスをターンオンさせる。それにより、第２メガネ装置２００−２を着用したユーザは、コンテンツビューＢのみを認識することができる。
【００２８】
各メガネ装置２００−１、２００−２が、各コンテンツビューの出力タイミングで同期化して駆動できるように、ディスプレイ装置１００は同期化信号を伝送する。同期化信号は、多様な方式で伝送されてよい。例えば、ＩＲ信号、ＲＦ信号等をブロードキャスティングする形態で伝送されてよく、ブルートゥース、Ｗｉ−Ｆｉ、Ｚｉｇｂｅｅ、ＩＥＥＥ等のような多様な無線通信プロトコルによって伝送されてよい。同期化信号を伝送するための通信部の構成は別途に設けられてよい。
【００２９】
図３においては、２つの３ＤコンテンツＡ、Ｂを用いて、マルチビュー機能を行う場合を示す。３Ｄコンテンツは、左眼映像および右眼映像を含む。それにより、コンテンツＡは左眼映像コンテンツＡＬと、右眼映像コンテンツビューＡＲとで構成され、コンテンツＢは左眼映像コンテンツＢＬと、右眼映像コンテンツビューＢＲとで構成される。それにより、ＡＬ、ＡＲ、ＢＬ、ＢＲが順次にディスプレイされる。
【００３０】
第１メガネ装置２００−１は、コンテンツＡの左眼映像コンテンツビューＡＬの出力タイミングに同期化させて左眼グラスを駆動させ、コンテンツＡの右眼映像コンテンツビューＡＲの出力タイミングに同期化させて右眼グラスを駆動させる。それにより、第１メガネ装置２００−１を着用したユーザは、３ＤコンテンツＡを立体感を感じて視聴することができる。一方、第２メガネ装置２００−２は、コンテンツＢの左眼映像コンテンツビューＢＬの出力タイミングに同期化させて左眼グラスを駆動させ、コンテンツＢの右眼映像コンテンツビューＢＲの出力タイミングに同期化させて右眼グラスを駆動させる。それにより、第２メガネ装置２００−２を着用したユーザは、３ＤコンテンツＢを立体感を感じて視聴することができる。
【００３１】
図２および図３のディスプレイシステムは、マルチビュー機能以外に、１つの３Ｄコンテンツを再生する機能も行うことができる。１つの３Ｄコンテンツを再生する場合、各メガネ装置２００−１、２００−２は、左眼映像および右眼映像のディスプレイタイミングに合わせて、左眼グラスおよび右眼グラスを交互に駆動させる。３Ｄコンテンツを再生するディスプレイシステムの動作に対する図示および説明は省略する。
【００３２】
図４は、パッシブタイプのディスプレイ装置およびメガネ装置の動作を説明するための図である。図４によると、ビデオ処理部１１０は、左眼映像フレーム（Ａ１、Ａ２、…）と、右眼映像フレーム（Ｂ１、Ｂ２、…）とを、それぞれ複数のラインに区分する。そして、区分されたラインを相互に組み合わせてフレームを生成する。例えば、１番目の左眼映像フレームＡ１の奇数ラインと１番目の右眼映像フレームＢ１の偶数ラインとを組み合わせて第１フレーム４１０を生成する。そして、１番目の左眼映像フレームＡ１の偶数ラインと１番目の右眼映像フレームＢ１の奇数ラインとを組み合わせて第２フレーム４２０を生成する。その後、２番目の左眼映像フレームＡ２および２番目の右眼映像フレームＢ２を用いて、第３フレーム４３０と第４フレームとを生成する。
ディスプレイ部１２０は、各フレーム４１０、４２０、４３０、…をライン別に区分し、各ラインの偏光方向が相互直交するようにディスプレイする。
【００３３】
パッシブタイプのメガネ装置２００−１、２００−２は、左眼および右眼グラスの偏光方向が同一に実現される。すなわち、パッシブタイプの３Ｄメガネ装置は、左眼および右眼グラスの偏光方向が相互直交するように実現される一方、パッシブタイプのマルチビューメガネ装置は、左眼および右眼グラスの偏光方向は同一である。第１メガネ装置２００−１の左眼および右眼グラスが、それぞれ第１偏光方向の光を透過させるグラスなら、第１フレームの奇数ライン、第２フレームの偶数ラインが、第１メガネ装置２００−１のユーザに認識される。逆に、第２メガネ装置２００−２の左眼および右眼グラスが、それぞれ第２偏光方向の光を透過させるグラスなら、第１フレームの偶数ライン、第２フレームの奇数ラインが、第２メガネ装置２００−２のユーザに認識される。
以上説明したように、ディスプレイ装置１００は、アクティブタイプやパッシブタイプ等のように、多様な形態で実現されてよい。以下においては、アクティブタイプで実現された場合を基準として説明を進める。
【００３４】
図５および図６は、リモコン制御権を切り替える方法を説明するための図である。図５によると、２つのコンテンツビューＡ、Ｂがディスプレイされ、第１メガネ装置２００−１がコンテンツビューＡにマッチングされ、第２メガネ装置２００−２がコンテンツビューＢにマッチングされた場合を示す。マルチビューモードが実行され、マルチビューディスプレイが行われると、リモコン制御権はメインチャネルであるコンテンツビューＡにデフォルトとして与えられる。それにより、リモコン制御権があることを示すＯＳＤメッセージ１０がコンテンツビューＡにディスプレイされる。このようなＯＳＤメッセージ１０は、通知メッセージと称してよい。第１メガネ装置２００−１のユーザは、リモコン３００を用いてコンテンツビューＡを制御する。例えば、コンテンツビューＡに表示されるコンテンツを変更したり、音量や表示属性等を変更したりすることができる。
【００３５】
このような状態で、第２コンテンツビューＢに同期化した第２メガネ装置２００−２のユーザが、リモコン切り替え命令を入力すると、リモコン制御権が第２コンテンツビューＢに与えられる。それにより、ＯＳＤメッセージ１０が第２コンテンツビューＢに表示される。
リモコン切り替え命令は、メガネ装置に設けられたボタンを選択する方式で入力されてよい。すなわち、第１および第２メガネ装置２００−１、２００−２は、それぞれボタンを含む。第２メガネ装置２００−２に設けられたボタンが押圧されると、第２メガネ装置２００−２は現在同期化しているコンテンツビューに対する情報をディスプレイ装置１００に伝送する。それにより、ディスプレイ装置１００は、第２メガネ装置２００−２が同期化したコンテンツビューＢに対してリモコン制御権を与えることができる。
【００３６】
図７は、アクティブタイプで実現されたディスプレイ装置の構成の一例を示すブロック図である。図７によると、ディスプレイ装置１００は、ビデオ処理部１１０と、ディスプレイ部１２０と、制御部１３０と、第１通信部１４１と、第１受信部１５０と、第２受信部１５５と、オーディオ処理部１６０と、パケット化部１６５と、オーディオ出力部１７０と、ＯＳＤ処理部１７５と、保存部１８０と、同期化信号生成部１８５と、第２通信部１４２と、リモコン信号受信部１９５とを含む。
【００３７】
第１および第２受信部１５０、１５５は、それぞれ放送信号を受信するための放送信号受信部で実現されてよい。第１および第２受信部１５０、１５５の構成は、放送規格に応じて異なってよい。具体的には、ディスプレイ装置１００は、ＡＴＳＣ、ＰＡＬ方式等のような多様な放送規格によるテレビ装置で実現されてよい。ＡＴＳＣ規格による場合、第１および第２受信部１５０、１５５は、チューナ、復調器、等化器等を含むことができる。
第１および第２受信部１５０、１５５によって受信された放送コンテンツは、デマルチプレクサ（図示せず）によってデマルチプレキシングされる。それにより、ビデオデータ、オーディオデータ、付加データ等が検出される。ビデオデータは、ビデオ処理部１１０に入力され、オーディオデータは、オーディオ処理部１６０に入力される。付加データは、一般データデコーダ（図示せず）に入力されて処理される。図７においては、ビデオ処理部１１０およびオーディオ処理部１６０が、それぞれ１つずつ示されているが、これらは受信部の数に対応するように複数個で実現されてよい。
【００３８】
ビデオ処理部１１０は、ビデオデータに対してデコード、デインターリービング、スケーリング、フレームレート変換等のような多様なビデオ信号処理を行って、ビデオフレームを生成する。その後、そのビデオフレームを組み合わせてディスプレイ部１２０に提供する。マルチビューモードにおいて、ディスプレイ部１２０は、コンテンツ１のビデオフレームとコンテンツ２のビデオフレームとを少なくとも１つのフレーム単位で交互にディスプレイする。
【００３９】
ＯＳＤ処理部１７５は、各コンテンツビューに追加され得る各種ＯＳＤメッセージを生成してビデオ処理部１１０に提供する。ＯＳＤ処理部１７５は、制御部１３０の制御に従って、多様なＯＳＤメッセージを生成することができる。ＯＳＤ処理部１７５は、演算部（図示せず）と、レンダリング部（図示せず）と、バッファ部（図示せず）とを含む形態で構成されてよい。演算部は、保存部１８０に保存された画面のレイアウトデータに基づいて、当該画面のレイアウトに応じて各客体が表示される座標値、形態、大きさ、カラー等のような属性値を演算する。レンダリング部は、演算部で演算した属性値に基づいて図５および図６に示すようなＯＳＤメッセージ１０を生成する。レンダリング部で生成されたメニューデータは、バッファ部（図示せず）に保存される。バッファ部に保存されたメニューデータは、ビデオ処理部１１０で生成されたビデオフレームに付加されてディスプレイ部１２０によってディスプレイされる。その他にも、ＯＳＤ処理部１７５は、リモコン制御権限、ペアリング状態、チャネル番号、音量レベル、放送情報等のような多様な形態のＯＳＤメッセージを生成することができる。
【００４０】
オーディオ処理部１６０は、各コンテンツのオーディオデータに対してオーディオデコード、ノイズフィルタリング、増幅等のような多様なオーディオ信号処理を行って、オーディオ信号を生成する。オーディオ処理部１６０で生成されたオーディオ信号は、オーディオ出力部１７０またはパケット化部１６５に提供される。
制御部１３０は、通常モードや３Ｄモードで動作する場合には、第１および第２受信部１５０、１５５のいずれか一方を活性化させ、１つの２Ｄコンテンツまたは１つの３Ｄコンテンツのみを出力する。なお、制御部１３０は、オーディオ信号をオーディオ出力部１７０に提供するようにオーディオ処理部１６０を制御する。
一方、マルチビューモードの場合、制御部１３０は、第１および第２受信部１５０、１５５のいずれもを活性化させ、複数のコンテンツを受信するようにする。そして、制御部１３０は、オーディオ処理部１６０で生成した各オーディオ信号をパケット化部１６５に提供するようにオーディオ処理部１６０を制御する。
【００４１】
パケット化部１６５は、各コンテンツのオーディオ信号をミキシングして通信パケットを生成する。第１通信部１４１は、パケット化部１６５で生成した通信パケットを予め設定された周波数帯域を通じて伝送する。周波数帯域は、複数の候補帯域のうち１つに選択されてよい。例えば、第１通信部１４１は、２．４ＧＨｚ、５．２ＧＨｚ、５．５ＧＨｚのような周波数帯域のうちの１つを任意で選択し、通信パケットを伝送することができる。
マルチビューモードが実行されると、制御部１３０は同期化信号生成部１８５を活性化させることができる。
【００４２】
同期化信号生成部１８５は、コンテンツ１のビデオフレームのディスプレイタイミングおよびコンテンツ２のビデオフレームのディスプレイタイミングと、各メガネ装置の動作とを同期化させるための同期化信号を生成する。同期化信号は、ディスプレイ装置１００およびメガネ装置の間に適用された無線通信方式に応じて多様な形態で生成されることができる。例えば、ＲＦ信号、ＩＲ信号形態で生成されたり、ブルートゥース、Ｗｉ−Ｆｉ、Ｚｉｇｂｅｅ、ＩＥＥＥその他の各種無線通信規格によるデータパケット形態で生成されたりしてよい。同期化信号は、複数の同期化周期に区分されてよい。各同期化周期は、同期化情報を示すパルスのライジングエッジ（ｒｉｓｉｎｇ  ｅｄｇｅ）またはフォーリングエッジ（ｆａｌｌｉｎｇ  ｅｄｇｅ）によって区分される。同期化信号生成部１８５は、毎同期化周期ごとに現在マルチビュー機能が実行中の状態であるか、３Ｄコンテンツを再生している状態かを通知するための状態情報、各コンテンツビューの出力タイミングとシャッタグラス駆動タイミングとを同期化させるためのタイミング情報等を含むことができる。タイミング情報は、各コンテンツビューの出力タイミングを直接通知するｓｙｎｃ情報で実現されてよく、基準タイミング情報およびその基準タイミングから各コンテンツビューの出力タイミングまでのディレイタイムを示すディレイ情報を含む形態で実現されてよい。その他にも、同期化信号には実施形態に応じて多様な情報が含まれてよい。例えば、ディスプレイ装置１００にペアリングされた全メガネ装置の固有情報が含まれてよい。
【００４３】
第２通信部１４２は、同期化信号を各メガネ装置に伝送する。第２通信部１４２は、上述のような多様な通信規格を用いて同期化信号を伝送することができる。第２通信部１４２は、第１通信部１４１と別に設けられた通信モジュールを含むことができる。例えば、第２通信部１４２は、ブルートゥース方式でメガネ装置と通信を行い、第１通信部１４１はＲＦ通信規格によってメガネ装置と通信を行うことができる。第１通信部１４１および第２通信部１４２の少なくとも一方は、メガネ装置やその他の外部装置から、リモコン制御権切り替え命令や、メニュー表示命令、音量調整命令等のような多様なコマンドを受信することもできる。
【００４４】
保存部１８０は、ディスプレイ装置１００の動作に必要な各種プログラムおよびデータ等が保存された構成要素である。保存部１８０には、リモコン信号に対応する動作情報、ディスプレイ装置１００に接続されたメガネ装置に対する識別情報、リモコン制御権が与えられたコンテンツビュー情報等のように、多様な情報が保存されてよい。制御部１３０は、保存部１８０に保存されたプログラムおよびデータに基づいてディスプレイ装置１００の動作を制御する。
【００４５】
リモコン信号受信部１９５は、リモコンからリモコン信号を受信する。リモコン信号は、多様な通信方式によって伝送されてよい。一例として、リモコン信号は、リードコード、カスタムコード、データコード等で組み合わせられたコード信号で構成されてよく、製造会社または製品別に定められた周波数帯域に含まれるキャリア周波数信号を用いて伝送されてよい。
制御部１３０は、リモコン信号受信部１９５によって受信されるリモコン信号に応じて多様な動作を行う。例えば、スタンバイ状態でターンオン命令が入力されると、制御部１３０は、ターンオン命令に従って各構成要素に電源を供給してディスプレイ装置１００をターンオンさせる。
【００４６】
通常モードの状態で、チャネル変更命令や音量調整命令等が入力されると、制御部１３０は、第１および第２受信部１５０、１５５、ビデオ処理部１１０およびオーディオ処理部１６０を制御して、チャネル変更動作または音量調整動作等を行う。
制御部１３０は、マルチビュー機能を実行させるための命令が入力されると、複数のコンテンツを受信して複数のコンテンツビューを生成するように、第１および第２受信部１５０、１５５、ビデオ処理部１１０等を制御する。コンテンツ提供ソースおよびその種類に対しては、既に説明しているため、繰り返し説明は省略する。
【００４７】
マルチビューモードの下で、リモコン信号受信部１９５によってリモコン信号が受信されると、制御部１３０は、コンテンツビューのうち、リモコン制御権の与えられたコンテンツビューに対して、リモコン信号に対応する動作を行う。
リモコン制御部は、ユーザの選択に応じて容易に切り替えられてよい。すなわち、制御部１３０は、マルチビュー機能が実行され、複数のコンテンツビューがディスプレイされている場合、リモコン制御権を有しないコンテンツビューに同期化したメガネ装置からコンテンツ切り替え命令が入力されると、制御部１３０は、そのメガネ装置の識別情報およびそのメガネ装置が同期化したコンテンツビューに対する情報を保存部１８０から確認する。それにより、当該メガネ装置が同期化したコンテンツビューをターゲットコンテンツビューに選択し、当該コンテンツビューに対する情報を保存部１８０に保存する。
【００４８】
更に別の実施形態によると、リモコン切り替え命令はリモコンを通じて受信されてよい。ユーザは、リモコン３００に設けられたキーのうち、リモコン制御権限を変更する機能がリモコン制御権を切り替えることができる。一例として、左方キーに第１コンテンツビューに切り替えるための機能がマッチングされ、右方キーに第２コンテンツビューに切り替えるための機能がマッチングされた場合なら、制御部１３０は、左方キー信号が入力されると、第１コンテンツビューＡにリモコン制御権を与え、右方キー信号が入力されると、第２コンテンツビューＢにリモコン制御権を与えることができる。または、１番キーや２番キー等のような数字キーに対して制御権限変更機能がマッチングされてよく、その他に、１つの単一キーに対してこのような機能がマッチングされてよい。単一キーにリモコン切り替え機能がマッチングされた場合、制御部１３０は、当該キーが押圧される度に、リモコン制御権を順次に変更する。
【００４９】
このような情報は、保存部１８０中の不揮発性メモリに保存されてよい。よって、ディスプレイ装置１００がターンオフされてから再びターンオンされるとき、ターゲットコンテンツビューはユーザが選択したままで保持されてよい。一方、別の実施形態によると、ターンオフの後ターンオンが行われると、ターゲットコンテンツビュー情報がリセットされ、デフォルトに設定された第１コンテンツビューがターゲットコンテンツビューに自動的に選択されてよい。
【００５０】
制御部１３０は、内部メモリ（図示せず）または保存部１８０内に設けられた制御権限設定領域を用いてターゲットコンテンツビューを設定することができる。例えば、２つのコンテンツビューが提供されるデュアルビューモードが実行されている状態で、第１コンテンツビューがターゲットコンテンツビューに選択された場合には、制御部１３０は、制御権限設定領域にデジタルコード００を記録することができる。一方、第２コンテンツビューがターゲットコンテンツビューに選択された場合には、制御部１３０は、デジタルコード０１を記録することができる。制御部１３０は、制御権限変更命令が入力されると、デジタルコードを００から０１に、または０１から００に変更する。
【００５１】
その後に、制御部１３０は、多様な制御信号が入力されると、制御権限設定領域に記録されたコードを確認して処理するコンテンツビューを決定する。例えば、ターゲットコンテンツビューに表示されるコンテンツが放送信号なら、チャネルキーや音量キーを選択し、チャネルや音量等を調整することもでき、コンテンツやマルチメディアコンテンツファイルなら、コンテンツ変更、巻き戻し、早送り、再生、一時停止、再生停止等の動作を制御することができる。具体的には、チャネル変更命令が入力された場合を例にとると、制御部１３０は、現在リモコン制御権が与えられたコンテンツビューがどれかを示すターゲットコンテンツビュー情報を保存部１８０から確認する。制御部１３０は、ターゲットコンテンツビューに表示されるチャネルをチャネル変更命令に応じて切り替える。図７においては、リモコン信号受信部１９５のみを示しているが、制御部１３０は、ディスプレイ装置１００に設けられた各種ボタンのような入力手段を通じて入力されるユーザ命令に応じても、多様な制御動作を行うことができる。
【００５２】
制御部１３０は、新たなメガネ装置が第２通信部１４２または第１通信部１４１を介して接続されると、当該メガネ装置に対する情報を保存部１８０に保存する。この場合、制御部１３０は、各メガネ装置が同期化したコンテンツビューに対する情報、音量情報、その他の表示属性情報等を併せて保存しておくことができる。それにより、制御部１３０は、各コンテンツビューに対応するオーディオ信号の出力レベルやカラー表示属性等を保存された情報に基づいて調整することができる。なお、制御部１３０は、メガネ装置が予め設定された数以上に接続されると、メガネ装置の追加接続を制限することができる。
【００５３】
その他に、図７では示されていないが、インターネットやその他のローカルネットワークを通じてサーバ装置からコンテンツファイルを受信するためのネットワークインターフェース、記録媒体再生ユニット、記録媒体再生装置と接続されるためのインターフェース等が更に含まれてよい。制御部２６０は、マルチビューモードでユーザが選択したコンテンツソースによって、受信部１５０、１５５、ネットワークインターフェース、記録媒体再生ユニット、インターフェース、保存部１８０等を選択的に活性化させることができる。それにより、多様なソースから提供されるデータが複数のコンテンツビューに提供されてよい。
【００５４】
図８は、アクティブタイプのメガネ装置の構成の一例を示すブロック図である。図８によると、メガネ装置２００は、第１通信部２１０と、第２通信部２２０と、シャッタグラス駆動部２３０と、第１シャッタグラス２４０と、第２シャッタグラス２５０と、制御部２６０と、オーディオ処理部２７０と、オーディオ出力部２８０と、保存部２９０と、入力部２９５とを含む。
第１通信部２１０は、ディスプレイ装置１００から同期化信号を受信する。第１通信部２１０は、ブルートゥース、Ｗｉ−Ｆｉ、Ｚｉｇｂｅｅ、ＲＦ通信規格等のような多様な無線通信方式に従ってディスプレイ装置１００と通信を行うことができる。ディスプレイ装置１００が、図７に示すような構成で実現されたとすると、第１通信部２１０は、ディスプレイ装置１００の第２通信部１４２と通信を行うことができる。
【００５５】
制御部２６０は、メガネ装置２００がターンオンされると、ディスプレイ装置と通信接続を行うように第１通信部２１０を制御する。通信が接続され、第１通信部２１０を介して同期化信号が受信されると、シャッタグラス駆動部２３０は、同期化信号に従って第１および第２シャッタグラス２４０、２５０の駆動を制御する。例えば、第１コンテンツビューにマッチングされた場合には、シャッタグラス駆動部２３０は、第１コンテンツビューのディスプレイタイミングで第１および第２シャッタグラス２４０、２５０を同時にオープンさせる。または、第２コンテンツビューにマッチングされた場合には、シャッタグラス駆動部２３０は、第２コンテンツビューのディスプレイタイミングで第１および第２シャッタグラス２４０、２５０を同時にオープンさせる。
【００５６】
第１および第２シャッタグラス２４０、２５０は、それぞれ複数の透明電極、透明電極の間に配置された液晶層、偏光板、これらを支持する透明基板等を含む。それにより、複数の透明電極に印加される電圧に応じて液晶層の各液晶がターンオンまたはターンオフされる。ターンオフの状態では、光の透過が遮断され、ターンオンの状態では一般グラスのように光を透過させる。
シャッタグラス駆動部２３０は、第１および第２シャッタグラス２４０、２５０に備えられた透明電極に接続された駆動回路を含む。シャッタグラス駆動部２３０は、第１および第２シャッタグラス２４０、２５０に設けられた透明電極に駆動信号を印加し、第１および第２シャッタグラス２４０、２５０をそれぞれ個別に駆動させる。シャッタグラス駆動部２３０は、３Ｄコンテンツが再生中の際には、第１および第２シャッタグラス２４０、２５０を１つずつ交互にターンオンまたはターンオフさせ、マルチビュー機能が実行中の際には、第１および第２シャッタグラス２４０、２５０を一括してターンオンまたはターンオフさせる。
【００５７】
制御部２６０は、メガネ装置の使用履歴に応じて最初同期化されるコンテンツビューを自動選択することができる。すなわち、最後に第２コンテンツビューを視聴している途中に、ターンオフされた状態なら、制御部２６０は最終に同期化したコンテンツビューが第２コンテンツビューであることを示す履歴情報に基づいて、第２コンテンツビューに直ちに同期化することができる。または、制御部２６０は、リモコン制御権が与えられたコンテンツビューに直ちに同期化してよい。この場合、リモコン制御権が与えられたコンテンツビューに対する情報は、ディスプレイ装置１００とメガネ装置２００との間の通信接続過程で、メガネ装置２００に提供されてよい。または、制御部２６０は、メガネ装置２００がターンオンされてからユーザが選択したコンテンツビューに直ちに同期化することもできる。
【００５８】
第２通信部２２０は、ディスプレイ装置１００からオーディオデータパケットを受信する。第２通信部２２０も上述のような多様な通信方式のうちの１つを用いてディスプレイ装置１００と通信を行うことができる。
第１および第２通信部２１０、２２０を介して受信される情報は、保存部２９０に保存されてよい。
オーディオ処理部２７０は、第２通信部２２０を介してオーディオデータパケットが受信されると、受信されたオーディオデータパケットを処理してオーディオ信号を生成する。オーディオ出力部２８０は、生成されたオーディオ信号を出力する。オーディオ出力部２８０は、スピーカ形態またはイヤホン形態で実現されてよい。オーディオ出力部２８０は、オーディオデータ出力時には、そのオーディオデータに対して定められた音量レベルで出力することができる。音量調整は、出力端に設けられた可変抵抗を用いて行うことができる。すなわち、オーディオ出力部２８０は、メガネ装置２００に設けられた音量調整キーが操作されると、その操作状態に応じて可変抵抗値を変更し、出力されるオーディオ信号の音量レベルを変更することができる。
【００５９】
図９および図１０は、ディスプレイ装置１００から伝送されるオーディオデータパケットの多様な構造を示す図である。
図９によると、ディスプレイ装置１００のパケット化部１６５は、各コンテンツのオーディオ信号を収集して１つのオーディオデータパケットを生成することができる。すなわち、コンテンツ１のオーディオ信号と、コンテンツ２のオーディオ信号とが１つのパケット内のペイロード領域に記録されてよい。
【００６０】
図９に示すように、複数のコンテンツのオーディオ信号が１つのパケットでパケット化されて伝送されると、制御部２６０は、受信されたパケットのペイロード領域内で予め設定された領域からコンテンツ１のオーディオデータまたはコンテンツ２のオーディオデータを選択的に検出して処理するようにオーディオ処理部２７０を制御する。
すなわち、制御部２６０は、メガネ装置２００がターンオンされると、上述の候補帯域を順次にスキャニングするように第２通信部２２０を制御し、オーディオパケット受信可否を確認する。オーディオパケットが受信されると、その制御部２６０は、パケットヘッダ領域を確認し、ペイロード領域内で、シャッタグラス駆動部２３０が現在同期化しているコンテンツのオーディオデータが配置された領域を選択する。オーディオ処理部２７０は、選択された領域に記録されたオーディオデータを処理し、音響信号を生成する。生成された音響信号は、オーディオ出力部２８０によって出力される。オーディオ出力部２８０の形態および位置は、上述のように多様に実現されてよい。
【００６１】
または、図１０に示すように、ディスプレイ装置１００のパケット化部１６５は、各コンテンツのオーディオ信号を個別にパケット化することができる。第１通信部１４１は、生成された各パケットを同一周波数帯域で時間差を置いて交互に伝送することができる。図１０によると、ｔ１時点では、コンテンツ１のオーディオデータを含む第１パケット１０が伝送され、ｔ２時点では、コンテンツ２のオーディオデータを含む第２パケット２０が伝送される。両パケットの伝送時間差は、ディスプレイ装置およびメガネ装置の間に公知されてよい。例えば、２．５ｍｓに設定されていると、コンテンツ１を視聴するためのメガネ装置とコンテンツ２を視聴するためのメガネ装置とは、２．５ｍｓの時間差を置いて繰り返しオーディオパケットを受信して処理する。
【００６２】
図１１は、複数のパケットで伝送される実施形態におけるメガネ装置の動作を説明するための図である。図１１の（ａ）は、コンテンツ１のオーディオデータが載せられた第１パケットと、コンテンツ２のオーディオデータが載せられた第２パケットとが交互に伝送されることを示す。
【００６３】
制御部２６０は、メガネ装置２００がターンオンされると、スキャニングを行う。具体的には、第２通信部２２０が２．４ＧＨｚ、５．２ＧＨｚ、５．５ＧＨｚのような複数の候補帯域を順次に選局して信号を受信することができる。メガネ装置２００が、コンテンツ１に同期化した場合には、第１パケットの受信が確認された時点でスキャニングを終了する。例えば、第１パケットおよび第２パケットが、図１０に示すパケット形態である場合なら、制御部２６０は、第１パケットのヘッダまたはペイロード部分に記録された識別子に基づいて第１パケットが受信されたか否かを判断することができる。制御部２６０は、第１パケットおよび第２パケットの間の送信時間差を用いて、一定時間間隔ごとに第２通信部２２０を活性化させることができる。上述のように、送信時間差に対する情報は、ディスプレイ装置およびメガネ装置が事前に予め共有し、それぞれ保存しておくことができる。制御部２６０は、第１パケットの受信が確認された時点から第１パケットを受信し、次に、第１パケットが受信される前では、第２通信部２２０を非活性化させてから、再び第１パケットが受信される時点で第２通信部２２０を活性化させることができる。
【００６４】
更に別の実施形態によると、複数のコンテンツのオーディオ信号は、互いに異なるパケットでパケット化された後、互いに異なる周波数帯域のＲＦ信号に変調して出力することもできる。すなわち、ディスプレイ装置１００に含まれた第１通信部１４１は、コンテンツ１のオーディオ信号を含む第１パケットは第１周波数帯域のＲＦ信号に変調し、コンテンツ２のオーディオ信号を含む第２パケットは第２周波数帯域のＲＦ信号に変調し、各信号を時間差なしに出力することができる。この場合、各ＲＦ信号の周波数情報は、第２通信部１４２によって伝送される同期化情報に含まれてよい。
以上のように、オーディオ信号の伝送方式は、実施形態に応じて多様に実現されてよい。そして、オーディオ信号を受信するメガネ装置の動作も、実施形態によって異なってよい。
【００６５】
もう一度図８についての説明に戻ると、入力部２９５は、メガネ装置２００に備えられる各種キーを含むことができる。具体的には、ターンオン／オフ、ペアリング、コンテンツビュー切り替え、音量調整、リモコン制御権切り替え等のような動作がマッチングされた少なくとも１つのキーが、メガネ装置２００の本体に設けられてよい。これらのキーは、プッシュボタン、ダイヤル、ジョグシャトル、ホイール、タッチボタン、タッチパッド等のような多様な形態で実現されてよい。
【００６６】
制御部２６０は、各種キーの操作状態に応じて多様な制御動作を行うことができる。例えば、入力部２９５を介してリモコン制御権切り替えキーが選択されると、制御部２６０は、シャッタグラス駆動部２３０が現在同期化しているコンテンツビューに対する情報を含むリモコン制御権切り替え命令を生成し、第１通信部２１０または第２通信部２２０を介してディスプレイ装置１００に伝送することができる。
または、ターンオフ状態において、電源キーが選択されると、制御部２６０は、バッテリ（図示せず）から各構成要素の電源供給を再開し、ターンオン動作を行い、ターンオン状態で電源キーが選択されると、制御部２６０はスイッチ（図示せず）を用いて電源供給を遮断する。
【００６７】
なお、ディスプレイ装置とのペアリングを行うためのペアリングキーが選択されると、制御部２６０は第１通信部２１０を制御してペアリングを行う。具体的には、制御部２６０は、第１通信部２１０を制御し、ディスプレイ装置にペアリングトリガー信号を伝送する。その後に、第１通信部２１０によってディスプレイ装置のアドレス情報が受信されると、制御部２６０は、アドレス情報を保存部２９０に保存する。第１通信部２１０は、保存されたアドレス情報を用いてディスプレイ装置と通信接続を行う。
保存部２９０には、ディスプレイ装置から受信されたアドレス情報以外にも、第１および第２通信部２１０、２２０を介して受信される同期化信号、ターゲットコンテンツビュー情報等のような多様なデータが保存されてよい。なお、保存部２９０には、メガネ装置を駆動させるための各種駆動プログラムも保存されてよい。
【００６８】
一方、コンテンツビュー切り替えのためのキーが選択されると、制御部２６０は、保存部２９０に保存された同期化信号を用いて他コンテンツビューに切り替えるようにシャッタグラス駆動部２３０を制御する。例えば、第１コンテンツビューに同期化した状態で、コンテンツビュー切り替え命令が制御部２６０から入力されると、シャッタグラス駆動部２３０は、第２コンテンツビューのディスプレイタイミングに合わせて第１および第２シャッタグラス２４０、２５０がターンオンされるように、駆動時点を調整する。
【００６９】
一方、音量調整のためのキーが選択されると、制御部２６０は、選択されたキーによって音量出力レベルをアップまたはダウンさせるように、オーディオ出力部２８０を制御する。
以上のように、ディスプレイ装置１００およびメガネ装置２００は、多様な形態で構成されてよい。ディスプレイ装置１００は、メガネ装置２００から伝送される信号に応じてコンテンツビューを切り替えたり、リモコン制御権を変更したりする等の動作を行うことができる。
【００７０】
一方、図８は、アクティブタイプのメガネ装置の構成を示しているが、パッシブタイプもそれと類似する形態で実現されてよい。例えば、図８において、第１通信部２１０と、シャッタグラス駆動部２３０と、第１および第２シャッタグラス２４０、２５０を除く残りの構成は、パッシブタイプのメガネ装置に対しても、そのまま適用されてよい。よって、それについての説明および図示は省略する。
【００７１】
図１２は、本発明の一実施形態に係るリモコン制御権切り替え方法を説明するためのタイミング図である。図１２によると、ディスプレイ装置１００は、ＣＰＵ、ＢＴ＿ＴＸ、Ａｕｄｉｏ  ＴＸを含む。ＣＰＵ、ＢＴ＿ＴＸ、Ａｕｄｉｏ  ＴＸは、それぞれ制御部１３０と、第２通信部１４２と、第１通信部１４１とに対応する実現例である。なお、メガネ装置２００は、ＢＴ＿ＲＸ、Ａｕｄｉｏ  ＲＸを含む。ＢＴ＿ＲＸ、Ａｕｄｉｏ  ＲＸは、それぞれメガネ装置２００内の第１通信部２１０、第２通信部２２０に対応する実現例である。
【００７２】
図１２によると、メガネ装置２００に設けられた電源キーが選択されてパワーオンが行われると、メガネ装置２００の第１通信部２１０は通信接続を行う。図１２に示すように、第２通信部１４２および第１通信部２１０がブルートゥース規格によって通信を行う場合、リンク接続のために、問合せ（Ｉｎｑｕｉｒｙ）過程を先に行う。その後、ページング過程を行う。ページング過程において、第２通信部１４２は、第１通信部２１０に自身のブルートゥースデバイスアドレスとクロックとを通知するようになる。メガネ装置２００の制御部２６０は、通知されたブルートゥースデバイスアドレスとクロックとを保存部２９０に保存して使用することができる。
【００７３】
通信が接続された状態で、メガネ装置２００でリモコン制御権切り替えのためのキーが選択されると、第２通信部２２０は、キー入力事実を通知され、ディスプレイ装置１００の通信部１４０にリモコン制御権切り替え命令を伝送する。図１２においては、第１通信部２１０がキー入力事実を通知するとして示されているが、このような動作は、メガネ装置２００の制御部２６０によって行われてよい。リモコン制御権切り替え命令には、メガネ装置２００が現在同期化しているコンテンツビューに対する情報が含まれてよく、その情報が別途に伝送されてよい。
【００７４】
ディスプレイ装置１００の通信部１４０は、受信されたリモコン制御権切り替え命令およびコンテンツビュー情報を制御部１３０に伝達する。制御部１３０は、現在リモコン制御権が与えられていたコンテンツビューに対してリモコン制御権を奪い、メガネ装置２００が同期化したコンテンツビューにリモコン制御権を与える。具体的には、制御部１３０は、内部メモリ（図示せず）または保存部１８０内に設けられた制御権限設定領域に記録されたビット値を変更し、リモコン制御権を切り替える。
制御部１３０は、その後にリモコン信号が受信されると、新たにリモコン制御権を有するコンテンツビューに対してそのリモコン信号に対応する処理動作を行う。
【００７５】
図１２に示すように、メガネ装置２００とディスプレイ装置１００との間の通信接続は周期的に行われてよい。例えば、ディスプレイ装置がリクエストを行う受動的な方法と、メガネ装置２００に直接ディスプレイ装置１００に情報を送信する能動的な方法とが全て可能である。
メガネ装置２００から提供される各種情報は、ディスプレイ装置１００内で多様な方法で利用されてよい。一例として、ディスプレイ装置１００は、一定数以上のメガネ装置２００が接続されることを防止することができる。
【００７６】
図１３は、メガネ装置の使用数を制限する実施形態に係るディスプレイ装置１００およびメガネ装置２００の動作を説明するための図である。
図１３によると、メガネ装置２００の第１通信部２１０とディスプレイ装置１００の第２通信部１４２との間で通信が行われると、第２通信部２２０はメガネ装置に対する多様な情報をディスプレイ装置１００内の第１通信部１４１に伝送する。この過程においては、ＲＦ通信規格が使用されてよい。具体的には、第２通信部２２０は、メガネ装置２００が使用するソフトウェアバージョン、メガネ装置アドレス、感度（ｓｅｎｓｉｔｉｖｉｔｙ）等のような多様な情報を伝送することができる。
【００７７】
ディスプレイ装置１００の第１通信部１４１は、メガネ装置２００のアドレス情報を制御部１３０に伝達し、制御部１３０は、それを保存部１８０に保存する。その後、第１通信部１４１は、ディスプレイ装置１００に接続されているメガネ装置に対して制限的に追加情報を要求する。第２通信部２２０は、要求に対する応答として、メガネ装置情報（ｄｕａｌ  ｖｉｅｗメガネ情報）、現在同期化しているコンテンツビュー情報等のような多様な情報を伝送することができる。
【００７８】
一方、ディスプレイ装置１００の制御部１３０は、同時に接続されたメガネ装置の数を制限することができる。例えば、合計１０台のメガネ装置のみが同時に接続されて使用できるように設定された場合、第１通信部１４１は、メガネ装置２００の第２通信部２２０を介してペアリングまたはページング過程が行われると、このような事実を制御部１３０に通知する。制御部１３０は、現在接続されたメガネ装置２００の数を確認し、予め設定された数（図１３の例の場合、１０）のメガネ装置が既に接続された状態なら、接続拒否メッセージまたは接続不可メッセージをディスプレイ部１２０を介してディスプレイする。
【００７９】
なお、制御部１３０は、接続数超過の状態であることを通知するように、第１通信部１４１を制御する。第１通信部１４１は、制御部１３０の制御に応じてペアリングまたはページングを拒否する接続拒否信号を伝送する。
メガネ装置２００の第２通信部２２０は、接続拒否信号が受信されると、ペアリングまたはページングトライを終了する。
【００８０】
一方、ディスプレイ装置１００の制御部１３０は、メガネ装置２００やリモコン３００等を通じて入力される各種信号に応じて多様な情報をディスプレイするようにＯＳＤ処理部１７５およびディスプレイ部１２０を制御することができる。例えば、メガネ装置の接続状態を確認するための情報をディスプレイすることもできる。
図１４は、メガネ装置の接続状態を確認するための情報をディスプレイする実施形態に係るディスプレイ装置の動作を説明するための図である。
【００８１】
図１４によると、合計１０台のメガネ装置２００−１〜２００−１０が接続された状態で、１つのメガネ装置またはリモコンを通じて接続状態確認命令が入力されたり、９台のメガネ装置が接続された状態で、１０台目のメガネ装置２００−１０が接続される場合、メガネ装置に対する接続情報１４００が表示されてよい。このような情報を通じて、ユーザは、合計でいくつのメガネ装置が接続されているか、使用されていないメガネ装置が接続された状態ではないか等をチェックすることができる。それにより、不要なメガネ装置の動作を減らすことができる。
【００８２】
一方、許容可能な数を超過してメガネ装置が接続された場合、その状態を表示するためのメッセージがディスプレイされてよい。
図１５は、接続拒否メッセージをディスプレイするディスプレイ装置の動作を説明するための図である。図１５によると、合計１０台のメガネ装置２００−１〜２００−１０が接続された状態で、１１台目のメガネ装置２００−１１がペアリングまたはページングを試みると、当該メガネ装置２００−１１に対して接続拒否信号を伝送する一方、ディスプレイ装置１００の画面上には接続可能数が超過していることを通知するメッセージ１５００がディスプレイされる。
【００８３】
一方、更に別の実施形態によると、ディスプレイ装置１００は各メガネ装置２００−１〜２００−１０が同期化したコンテンツビューに対する情報を用いて、各コンテンツビューに表示されるメニューの表示状態を選択的に変更することができる。
具体的には、ディスプレイ装置が、図７に示すように構成された場合、ユーザがメガネ装置２００−１〜２００−２やリモコン等に設けられたメニューボタンを押圧すると、制御部１３０は、第１または第２通信部１４１、１４２を介してメニュー表示命令を入力されるようになる。メニュー表示命令が入力されると、制御部１３０は、ＯＳＤメニューを生成するようにＯＳＤ処理部１７５を制御することができる。
【００８４】
ＯＳＤ処理部１７５は、サポート可能な各種メニューに対するアイコンやリストをＯＳＤ形態で生成する。ディスプレイ部１２０は、生成されたＯＳＤメニューを複数のコンテンツビューのうち、少なくとも１つにディスプレイする。ＯＳＤメニューをディスプレイするコンテンツビューは、実施形態に応じて多様に決定されてよい。一例としては、いずれか１つのコンテンツビューに同期化したメガネ装置でメニュー表示命令が入力されたとしても、全コンテンツビューにＯＳＤメニューをディスプレイすることができる。別の例としては、メニュー表示命令を入力したメガネ装置が同期化したコンテンツビューのみに対して、ＯＳＤメニューを表示することができる。
このようなＯＳＤメニューが複数である場合、制御部１３０は、外部装置とのペアリング状態やコンテンツビューのソース種類等に応じて、複数のＯＳＤメニューのうち少なくとも１つを選択的にディミングさせるようにＯＳＤ処理部１７５を制御することもできる。
【００８５】
図１６は、メニュー表示状態を変更する実施形態に係るディスプレイ装置の動作を説明する図である。図１６によると、ディスプレイ装置１００でマルチビューモードで動作している状態で、第１および第２メガネ装置２００−１、２００−２の両方が第２コンテンツビューに同期化した状態を示す。この場合、第１コンテンツビュー、すなわち、メインチャネルを使用するメガネ装置がないため、音声を各メガネ装置２００−１、２００−２に設けられたヘッドフォンを通じて出力する必要がなくなる。
それにより、制御部１３０は、ヘッドフォン出力メニュー１５２０は非活性化状態で表示し、本体スピーカ出力メニュー１５１０は活性化状態で表示するように、ＯＳＤ処理部１７５を制御する。図１６においては、非活性化されたメニュー１５２０がディミング処理されて表示される実施形態を示しているが、他にも、非活性化されたメニュー１５２０は最初からメニュー１５００上から除外されてよい。
【００８６】
一方、スピーカ出力だけでなく、その他の多様なメニューに対しても各メガネ装置の接続状態に応じて個別に表示されてよい。例えば、複数の放送チャネルのうちの１つを選択することができるテレビソースが選択された第１コンテンツビューに対してメニュー命令が入力されると、テレビチャネル変更のようなメニューが活性化されて表示されてよいが、１つのコンテンツが記録された記録媒体を再生する記録媒体再生装置が接続された入力ポートに対応する第２コンテンツビューに対しては、メニュー命令が入力されると、テレビチャネル変更のようなメニューが非活性化されたり、最初から表示されていなくされたりしてよい。同様の例において、第２コンテンツビューでメニュー命令が入力されると、コンテンツ再生、停止、一時停止、巻き戻し、早送り等のような多様なメニューが活性化されて表示される一方、第１コンテンツビューではこのようなメニューは、非活性化されたり最初から表示されていなくされたりしてよい。
【００８７】
一方、更に別の実施形態によると、２つのコンテンツビューのうちの１つのコンテンツビューに対する使用が検知されていない場合、制御部１３０は単一ビューモードに自動切り替えられてよい。すなわち、制御部１３０は、各メガネ装置の接続状態に応じてモード切り替えも自動で行うことができる。
以上のように、ディスプレイ装置およびメガネ装置は、多様な通信手段を用いて相互通信を行い、ディスプレイ装置はその通信結果に応じて多様な制御動作を行うことができる。
【００８８】
図１７は、本発明の一実施形態に係るディスプレイ装置のマルチディスプレイ方法を説明するためのフローチャートである。図１７によると、ディスプレイ装置は、複数のコンテンツを処理し（Ｓ１７１０）、複数のコンテンツビューをディスプレイすることができる（Ｓ１７２０）。
このような状態で、リモコン制御権切り替え命令が受信されると（Ｓ１７３０）、ディスプレイ装置は、その切り替え命令を伝送したメガネ装置に同期化したコンテンツビューに対してリモコン制御権を与える（Ｓ１７４０）。このような状態で、リモコン信号が受信されると（Ｓ１７５０）、ディスプレイ装置１００は、そのリモコン信号に応じて、当該コンテンツビューに対して処理動作を行う（Ｓ１７６０）。
【００８９】
図１７には示していないが、コンテンツビューのディスプレイと別にオーディオデータもメガネ装置に提供することができる。すなわち、ディスプレイ装置は、複数のコンテンツに含まれたオーディオデータをそれぞれ処理するステップと、処理された各オーディオデータをパケット化するステップと、パケット化された複数のオーディオデータパケットをメガネ装置に伝送するステップとを別途に更に行うことができる。それにより、メガネ装置は、オーディオデータパケットのうち、自身が同期化したコンテンツビューに対応するオーディオデータパケットを処理し、イヤホンやヘッドフォンのように、メガネ装置に対応するオーディオ出力部を用いて出力することができる。その他に、上述の多様な実施形態で説明した動作も、図１７のマルチビューディスプレイ方法実行中に同時に行われることができることは勿論である。
【００９０】
図１８は、リモコン制御権を切り替えるためのメガネ装置の動作を説明するためのフローチャートである。図１８によると、メガネ装置は、同期化信号が受信されると（Ｓ１８１０）、ユーザが選択したコンテンツビューと同期化を行う（Ｓ１８２０）。そして、同期化したコンテンツビューに対応するオーディオデータを受信し（Ｓ１８３０）、そのオーディオデータを処理して出力する（Ｓ１８４０）。コンテンツビューとの同期化動作、オーディオデータ処理および出力動作については、既に具体的に説明しているため、繰り返し説明は省略する。
このような状態で、リモコン制御権切り替えキーが入力されると（Ｓ１８５０）、メガネ装置２００は、現在同期化しているコンテンツビューに対する情報とともにリモコン制御権切り替え命令を伝送する（Ｓ１８６０）。それにより、ユーザは、自分が見ているコンテンツビューにリモコン制御権を容易に移すことができるようになる。
【００９１】
一方、以上のような多様な動作は、アクティブタイプのディスプレイ装置およびメガネ装置だけでなく、パッシブタイプのディスプレイ装置およびメガネ装置に対しても適用されてよい。
上述のように、メガネ装置のような外部装置は、ディスプレイ装置にペアリングされ、多様なコマンドやデータを送受信することができる。特に、メガネ装置の本体には、リモコン制御権切り替え命令やその他の命令がマッチングしたホットキー（ｈｏｔ  ｋｅｙ）が設けられてよい。
【００９２】
図１９は、リモコン制御権切り替え命令がマッチングされたキーを含むメガネ装置の外観構成例を示す。
図１９によると、メガネ装置は、グラス部とテンプル部とに区分される本体１９００と、その本体１９００にキー１９１０と、制御部１９２０と、通信部１９３０とからなってよい。
【００９３】
キー１９１０は、グラス部とテンプル部との間のヒンジ部に設けられてよい。キー１９１０は、タッチボタン、プッシュボタン、バースイッチ、ホイール等のような多様な形態で設けられてよい。
制御部１９２０は、キー１９１０が選択されると、複数のコンテンツビューのうち、メガネ装置が現在同期化しているコンテンツビューにリモコン制御権を切り替えるためのリモコン制御権切り替え命令を生成する。制御部１９２０は、生成されたリモコン制御権切り替え命令を通信部１９３０を介してディスプレイ装置に伝送する。
【００９４】
図１９においては、キー１９１０と、制御部１９２０と、通信部１９３０とのみを示しているが、上述の多様な実施形態で言及した構成要素もメガネ装置の本体１９００に内蔵されて使用されてよい。
例えば、メガネ装置がシャッタグラスタイプである場合には、メガネ装置は、第１および第２シャッタグラス部と、第１および第２シャッタグラス部をそれぞれ駆動させるためのシャッタグラス駆動部と、オーディオ信号処理のためのオーディオ処理部と、オーディオ処理部で処理したオーディオ信号を出力するオーディオ出力部とを更に含んでよく、通信部１９３０は、ディスプレイ装置から同期化信号を受信してシャッタグラス駆動部に提供する第１通信部と、ディスプレイ装置からオーディオ信号を受信してオーディオ処理部に提供する第２通信部とを含む形態で実現されてよい。
一方、偏光タイプのメガネ装置の場合には、グラス部は相互同一の偏光方向を有する左眼グラス、右眼グラスを含むことができる。偏光タイプの場合にも、オーディオ処理部と、オーディオ出力部等のような構成要素を更に含むこともできる。
【００９５】
上述の多様な実施形態に係るマルチビューディスプレイ方法、リモコン制御権切り替え方法、ペアリングおよびページング方法等は、ソフトウェアにコーディングすることができる。このようなソフトウェアは、非一時的なコンピュータ読み取り可能媒体（Ｎｏｎ−ｔｒａｎｓｉｔｏｒｙ  ｃｏｍｐｕｔｅｒ  ｒｅａｄａｂｌｅ  ｍｅｄｉｕｍ）に記録され、ディスプレイ装置やメガネ装置等のような装置に使用されてよい。
非一時的な読み取り可能な媒体とは、レジスタやキャッシュ、メモリ等のように短い間だけデータを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイ（登録商標）ディスク、ＵＳＢ、メモリカード、ＲＯＭ等のような非一時的な読み取り可能な媒体に保存されて提供されてよい。
【００９６】
以上、添付図面を参照しながら本発明の好適な実施形態について詳細に説明したが、本発明は上記の実施形態に限定されない。本発明の属する技術の分野における通常の知識を有する者であれば、特許請求の範囲に記載された技術的趣旨の範囲内において、各種の変更例または修正例に想到し得ることは明らかであり、これらについても、当然に本発明の技術的範囲に属するものと了解される。
【符号の説明】
【００９７】
１００  ディスプレイ装置
１１０  ビデオ処理部
１２０  ディスプレイ部
１３０  制御部
１４０  通信部
１４１  第１通信部
１４２  第２通信部
１５０  第１受信部
１５５  第２受信部
１６０  オーディオ処理部
１６５  パケット化部
１７０  オーディオ出力部
１７５  ＯＳＤ処理部
１８０  保存部
１８５  同期化信号生成部
１９５  リモコン信号受信部
２００  メガネ装置
２１０  第１通信部
２２０  第２通信部
２３０  シャッタグラス駆動部
２４０  第１シャッタグラス
２５０  第２シャッタグラス
２６０  制御部
２７０  オーディオ処理部
２８０  オーディオ出力部
２９０  保存部
２９５  入力部
３００  リモコン
１９００  メガネ装置本体
１９１０  キー
１９２０  制御部
１９３０  通信部
【図１】
2014107870.tif 000003
【図２】
2014107870.tif 000004
【図３】
2014107870.tif 000005
【図４】
2014107870.tif 000006
【図５】
2014107870.tif 000007
【図６】
2014107870.tif 000008
【図７】
2014107870.tif 000009
【図８】
2014107870.tif 000010
【図９】
2014107870.tif 000011
【図１０】
2014107870.tif 000012
【図１１】
2014107870.tif 000013
【図１２】
2014107870.tif 000014
【図１３】
2014107870.tif 000015
【図１４】
2014107870.tif 000016
【図１５】
2014107870.tif 000017
【図１６】
2014107870.tif 000018
【図１７】
2014107870.tif 000019
【図１８】
2014107870.tif 000020
【図１９】
2014107870.tif 000021